(57)【要約】      （修正有）【課題】使用者に水改質剤の交換時期を容易に知らせる水改質器を提供する。【解決手段】水改質器１０は、第１の開口部１１を有し、水を収容する本体部１と、水に可溶な水改質剤３１が充填されたカートリッジ３と、カートリッジ３に設けられた第２の開口部３２に着脱可能に連結されており、本体部１内の水を吸い上げる吸上管２１、及び、吸い上げた水を噴霧するノズル２２を有し、第１の開口部１１に着脱可能に設けられた噴霧部２と、を備えている。【選択図】図１
0003221122.tif 000002
【実用新案登録請求の範囲】
【請求項１】
開口部を有し、水を内部に収容する本体部と、
上記本体部内に設けられ、その内部に水に可溶な水改質剤が充填されたカートリッジと、
上記カートリッジに設けられた開口部に着脱可能に連結され、上記本体部内の水を吸い上げる吸上管、及び、当該吸上管が吸い上げた水を噴霧するノズルを有し、上記開口部に着脱可能に取り付けられた噴霧部と、を備えていることを特徴とする水改質器。
【請求項２】
上記水改質剤は、有機酸であることを特徴とする請求項１に記載の水改質器。
【請求項３】
上記有機酸は、アスコルビン酸であることを特徴とする請求項２に記載の水改質器。
【請求項４】
上記水改質剤は、徐放性を有することを特徴とする請求項２又は３に記載の水改質器。
【請求項５】
上記水改質剤は、上記有機酸と油脂成分との混合物である、又は上記有機酸が油脂成分によりコーティングされていることを特徴とする請求項４に記載の水改質器。
【請求項６】
上記水改質剤は、水のｐＨを４以上、６以下にするものであることを特徴とする請求項１から５の何れか１項に記載の水改質器。
【考案の詳細な説明】
【技術分野】
【０００１】
本考案は、水改質器に関する。
【背景技術】
【０００２】
水道水から塩素を除去する等して水道水を改質し、人体の肌に適した肌用水を調整する水改質器として、特許文献１に記載された肌用水調整器が従来技術として知られている。
【先行技術文献】
【特許文献】
【０００３】
【特許文献１】特開平１０−１０９０８８号公報（１９９８年４月２８日公開）
【考案の概要】
【考案が解決しようとする課題】
【０００４】
特許文献１に記載された肌用水調整器は、活性炭やイオン交換樹脂を含む水改質剤により水道水を改質するものであるが、このような水改質剤の肌用水を調整するための調整能力は有限である。そのため、特許文献１に記載された肌用水調整器では、水改質剤の交換時期を使用者に知らせるために、水改質剤が予め指示薬染料により着色されている。
【０００５】
しかしながら、指示薬染料は美容効果がなく、本来必要のない成分であり、また、肌への悪影響も懸念される上に、コストアップにもつながってしまう。
【０００６】
本考案の一態様は、上述した問題点を解決するためになされたものであり、その目的は、指示薬染料を必要とせず、使用者に水改質剤の交換時期を容易に知らせることが可能な水改質器を実現することを目的とする。
【課題を解決するための手段】
【０００７】
上記の課題を解決するために、本考案の一態様に係る水改質器は、開口部を有し、水を内部に収容する本体部と、上記本体部内に設けられ、その内部に水に可溶な水改質剤が充填されたカートリッジと、上記カートリッジに設けられた開口部に着脱可能に連結され、上記本体部内の水を吸い上げる吸上管、及び、当該吸上管が吸い上げた水を噴霧するノズルを有し、上記開口部に着脱可能に取り付けられた噴霧部と、を備えていることを特徴としている。
【考案の効果】
【０００８】
本考案の一態様によれば、水に可溶な水改質剤が充填されたカートリッジを備えており、水改質剤が水の改質に伴って水に溶けて減っていくので、使用者は、水改質剤の残量を確認するのみで容易に交換時期を知ることができる。
【図面の簡単な説明】
【０００９】
【図１】本考案の一実施形態に係る水改質器の概要を示す断面模式図である。
【考案を実施するための形態】
【００１０】
以下、本考案の一実施形態について、図１を参照して詳細に説明する。図１は、本考案の一実施形態に係る水改質器の概要を示す断面模式図である。図１に示すように、水改質器１０は、本体部１、噴霧部２及びカートリッジ３を備えている。本体部１は、上端に開口部１１を有し、水を内部に収容する。噴霧部２は、本体部１内の水を吸い上げる吸上管２１と、吸上管２１が吸い上げた水を噴霧するノズル２２とを有し、開口部１１に着脱可能に取り付けられている。カートリッジ３は、本体部１内に設けられ、その内部に水に可溶な水改質剤３１が充填されている。
【００１１】
水改質器１０は、人体の肌の保湿、引き締め等の美容効果を得る目的で水道水を改質するために用いることができる。水道水には、殺菌用の塩素のように、肌に悪影響を及ぼす恐れのある成分が含まれている。水改質器１０によれば、水道水中に含まれる肌に悪影響を及ぼす成分を水改質剤３１により取り除き、人体の肌に適した肌用水を調整することができる。
【００１２】
すなわち、水改質器１０によれば、外出先でも容易に入手できる水道水を原料として肌用水を調整することができ、安価である。また、水改質器１０を、水を入れていない状態で持ち運び、使用時に水を入れればよいので、持ち運び時の水の漏出を防止することができる。さらに、水改質器１０が備える水改質剤３１は水に可溶であり、水の改質に伴って水に溶けて減っていくので、使用者は、水改質剤３１の残量を確認するのみで容易に交換時期、すなわち水改質剤３１を補充する時期を知ることができる。
【００１３】
本体部１は、内部に水が収容可能な筒状であり、開口部１１から内部に水が導入される。開口部１１は、噴霧部２を着脱可能に取り付けられる形状であり、噴霧部２に設けられたネジ部に螺合するネジ部を有していてもよい。本体部１は、持ち運びが容易で使い勝手が良いことから、軽くて丈夫な樹脂製であることが好ましい。また、本体部１は、水改質剤や改質された水に対する紫外線の影響を抑えるために、内部が視認できる程度に着色されていてもよい。
【００１４】
噴霧部２としては、公知の直圧式の噴霧部２を使用可能である。直圧式の噴霧部２を用いる場合、使用者がヘッド２３を押圧すると、吸上管２１内の空気が押し出されてカートリッジ３を介して本体部１に供給され、供給された空気により圧縮された本体部１内の水がカートリッジ３内を通過して、吸上管２１から噴霧部２まで吸い上げられる。吸い上げられた水はヘッド２３内を通過して、先端のノズル２２から噴霧される。噴霧部２は、開口部１１に着脱可能に取り付けられる形状であり、開口部１１に設けられたネジ部に螺合するネジ部を有していてもよい。
【００１５】
カートリッジ３は、内部に水改質剤３１を充填可能な筒状であり得る。カートリッジ３において、筒状体の長手方向の一端には開口部３２が設けられており、開口部３２に吸上管２１が着脱可能に連結されている。カートリッジ３において、筒状体の長手方向の他端、すなわち、開口部３２が設けられた一端とは反対側の端部には開口部３３が設けられている。カートリッジ３には、開口部３３から内部に水改質剤３１を充填することができる。水改質剤３１をカートリッジ３の内部に充填した後、不織布やメッシュ部材等により形成された蓋部３４により開口部３３を塞ぐ。これにより、水改質剤３１がカートリッジ３外に出るのを防ぎつつ、カートリッジ３への水の流出入を妨げない。
【００１６】
上述したように噴霧部２のヘッド２３を使用者が押圧すると、吸上管２１から押し出された空気により本体部１内の水が圧縮され、図１の矢印に示すように、開口部３３を介してカートリッジ３内に流入する。カートリッジ３内に流入した水は、カートリッジ３内に充填された水改質剤３１に接触し、水に可溶な水改質剤３１が水中に溶け出す。
【００１７】
カートリッジ３内に流入した水は、図１の矢印に示すように、開口部３３から開口部３２へと流れ、開口部３２に連結された吸上管２１から噴霧部２まで吸い上げられ、ノズル２２から噴霧される。開口部３２から噴霧部２まで吸い上げられた水は、カートリッジ３内を通過した水のみである。すなわち、噴霧部２のノズル２２から噴霧される水は、全量がカートリッジ３内を通過しており、カートリッジ３内の水改質剤３１により改質されたものである。
【００１８】
カートリッジ３は、本体部１内に収容され、噴霧部２を開口部１１に取り付けた状態で本体部１から外側に飛び出ない形状及び大きさであればよい。カートリッジ３の容量は、収容する水改質剤３１の量に応じて適宜設定することができる。カートリッジ３は、内部に充填された水改質剤３１の残量を視認し易くするために透明であることが好ましいが、視認可能な程度に着色されていてもよい。
【００１９】
水改質剤３１は水に可溶であり、水中に溶け出すことによって水を改質するものである。水改質剤３１が水に可溶であることによって、指示薬染料などを使うことなく、水改質剤３１の残量の呈示が可能となる。また、指示薬染料による肌への悪影響に対するリスクを低減するとともに、指示薬染料によるコストアップを避けることもできる。
【００２０】
水改質剤３１は、有機酸であることが好ましい。水改質剤３１が有機酸であることによって、水を弱酸性水に改質することができる。ｐＨ４〜６の弱酸性は人体の肌のｐＨに近いことから、水改質剤３１として有機酸を用いることによって、改質する水を、肌用水として適した水にすることができると共に、肌を引き締めるアストリンゼント効果も付与することができる。
【００２１】
水改質剤３１として用いる有機酸は、クエン酸、リンゴ酸、コハク酸、又はアスコルビン酸であることが好ましく、その中でも、アスコルビン酸であることがより好ましい。クエン酸、リンゴ酸、コハク酸、及びアスコルビン酸は、多くの化粧品に使用されており、使用者が持つこれらの有機酸に対するイメージもよいため、好ましい。さらに、アスコルビン酸は還元力が強く、少量でも水道水中の塩素除去効果が高いことからより好適である。なお、水改質剤３１としてアスコルビン酸を用いる場合には、紫外線による悪影響を防ぐために、内部が視認できる程度にカートリッジ３及び本体部１の少なくとも一方を着色し、紫外線除去効果を得てもよい。
【００２２】
水改質剤３１は、徐放性を有することが好ましい。徐放性を有する水改質剤３１は、有機酸と油脂成分との混合物であるか、又は、有機酸が油脂成分によりコーティングされたものであり得る。水改質剤３１が徐放性を有することによって、水改質剤３１が水中に徐々に溶け出すので、水改質剤３１が水中に過剰に溶け出すことを防ぐことができる。また、水改質剤３１による水の改質効果をより長期間継続させることができる。さらに、水改質剤３１が油脂を含むことによって、水改質剤３１に含まれる油脂成分による保湿効果が、改質した水に付与されることも期待できる。
【００２３】
水改質剤３１に含まれる油脂成分は、ヒトの肌の美容に悪影響を及ぼさない油脂成分であればよく、例えば、菜種油、オリーブ油等の食用精製加工油脂であり得る。また、水改質剤３１は、ヒトの肌の美容に悪影響を及ぼさないものである限り、乳化剤、安定剤、保水材等の他の成分をさらに含んでいてもよい。
【００２４】
水改質剤３１は、水のｐＨを４以上、６以下にするものであることが好ましい。すなわち、水改質剤３１は、例えば、一般的な水道水（日本の水道水質基準においては、ｐＨ５．８〜ｐＨ８．６）を、そのｐＨが４以上、６以下になるように改質するものであり得る。このような条件を満たす水改質剤３１を用いることによって、水改質剤３１が充填されたカートリッジ３内を通過する間に水が改質され、人体の肌に適した肌用水が調整される。上述した条件を満たす水改質剤３１は、水改質剤３１に含まれる有機酸の種類、量、油脂成分の含有量等を適宜選択することにより調整することができる。
【００２５】
カートリッジ３に充填する水改質剤３１の量は特に限定されず、所望の水改質効果が得られ、改質された水がノズル２２から噴霧されるのを妨げない量であればよい。カートリッジ３内の水改質剤３１は、水に溶けだすことによって量が減るので、減った分の水改質剤３１が適宜補充されることが好ましい。カートリッジ３内に水改質剤３１を補充するタイミングは、水改質剤３１が完全に溶け出した後でなくてもよく、所定の量の水改質剤３１が溶け出した時点、のように適宜設定すればよい。
【００２６】
〔付記事項〕
本考案の一形態において、水改質器は、開口部を有し、水を内部に収容する本体部と、上記本体部内に設けられ、その内部に水に可溶な水改質剤が充填されたカートリッジと、上記カートリッジに設けられた開口部に着脱可能に連結され、上記本体部内の水を吸い上げる吸上管、及び、当該吸上管が吸い上げた水を噴霧するノズルを有し、上記開口部に着脱可能に取り付けられた噴霧部と、を備えている。
【００２７】
本考案の他の形態において、上記水改質剤は、有機酸であることが好ましい。
【００２８】
本考案の他の形態において、上記水改質剤は、徐放性を有することが好ましい。
【００２９】
本考案の他の形態において、上記水改質剤は、上記有機酸と油脂成分との混合物である、又は上記有機酸が油脂成分によりコーティングされていることが好ましい。
【００３０】
本考案の他の形態において、上記水改質剤は、水のｐＨを４以上、６以下にするものであることが好ましい。
【００３１】
本考案の他の形態において、上記有機酸は、アスコルビン酸であることが好ましい。
【００３２】
本考案は上述した各実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【実施例】
【００３３】
本考案の一実施例について以下に説明する。ノズル径９ｍｍ、噴霧水量０．１ｍＬの水改質器のカートリッジ内に、水改質剤として、アスコルビン酸徐放剤ＶＣ−ＬＣ７０（日油株式会社製）２ｇを充填し、不織布で蓋をしたカートリッジを取り付けた。アスコルビン酸徐放剤の成分比は、ビタミンＣ７０％、アラビアガム０．１％、プルラン０．１％、食用精製加工油脂１７．４％、還元パラチノース１２．４％であり、その形状は、ビタミンＣの表面が油脂によりコーティングされた球形状であった。
【００３４】
豊橋市の水道水（ｐＨ７．２）５０ｍＬを本体部内に注いだ後、ノズル内の空気が抜けきるまで噴霧部をプッシュした。ノズルから処理水が噴霧されるようになってから２０プッシュ分（２ｍＬ）を廃棄し、その後の噴霧水のｐＨを測定した。
【００３５】
同様の実験を３回繰り返したところ、処理水のｐＨは４．０〜５．５であった。
【産業上の利用可能性】
【００３６】
本考案は、改質した水を利用する技術分野に利用することができる。
【符号の説明】
【００３７】
１    本体部
２    噴霧部
３    カートリッジ
１０  水改質器
１１  開口部
２１  吸上管
２２  ノズル
３１  水改質剤
３２  開口部
【図１】
0003221122.tif 000003
【手続補正書】
【提出日】平成31年2月27日(2019.2.27)
【手続補正１】
【補正対象書類名】実用新案登録請求の範囲
【補正対象項目名】全文
【補正方法】変更
【補正の内容】
【実用新案登録請求の範囲】
【請求項１】
第１の開口部を有し、水を内部に収容する本体部と、
上記本体部内に設けられ、その内部に水に可溶な水改質剤が充填されたカートリッジと、
上記カートリッジに設けられた第２の開口部に着脱可能に連結され、上記本体部内の水を吸い上げる吸上管、及び、当該吸上管が吸い上げた水を噴霧するノズルを有し、上記第１の開口部に着脱可能に取り付けられた噴霧部と、を備えていることを特徴とする水改質器。
【請求項２】
上記水改質剤は、有機酸であることを特徴とする請求項１に記載の水改質器。
【請求項３】
上記有機酸は、アスコルビン酸であることを特徴とする請求項２に記載の水改質器。
【請求項４】
上記水改質剤は、徐放性を有することを特徴とする請求項２又は３に記載の水改質器。
【請求項５】
上記水改質剤は、上記有機酸と油脂成分との混合物である、又は上記有機酸が油脂成分によりコーティングされていることを特徴とする請求項４に記載の水改質器。
【請求項６】
上記水改質剤は、水のｐＨを４以上、６以下にするものであることを特徴とする請求項１から５の何れか１項に記載の水改質器。
【手続補正２】
【補正対象書類名】明細書
【補正対象項目名】００１０
【補正方法】変更
【補正の内容】
【００１０】
以下、本考案の一実施形態について、図１を参照して詳細に説明する。図１は、本考案の一実施形態に係る水改質器の概要を示す断面模式図である。図１に示すように、水改質器１０は、本体部１、噴霧部２及びカートリッジ３を備えている。本体部１は、上端に開口部（第１の開口部）１１を有し、水を内部に収容する。噴霧部２は、本体部１内の水を吸い上げる吸上管２１と、吸上管２１が吸い上げた水を噴霧するノズル２２とを有し、開口部１１に着脱可能に取り付けられている。カートリッジ３は、本体部１内に設けられ、その内部に水に可溶な水改質剤３１が充填されている。
【手続補正３】
【補正対象書類名】明細書
【補正対象項目名】００１５
【補正方法】変更
【補正の内容】
【００１５】
カートリッジ３は、内部に水改質剤３１を充填可能な筒状であり得る。カートリッジ３において、筒状体の長手方向の一端には開口部（第２の開口部）３２が設けられており、開口部３２に吸上管２１が着脱可能に連結されている。カートリッジ３において、筒状体の長手方向の他端、すなわち、開口部３２が設けられた一端とは反対側の端部には開口部３３が設けられている。カートリッジ３には、開口部３３から内部に水改質剤３１を充填することができる。水改質剤３１をカートリッジ３の内部に充填した後、不織布やメッシュ部材等により形成された蓋部３４により開口部３３を塞ぐ。これにより、水改質剤３１がカートリッジ３外に出るのを防ぎつつ、カートリッジ３への水の流出入を妨げない。